(57)【要約】【課題】Ｓｗｉｔｃｈ−ＩＤを設定するのに、余分な時間や労力を費やされるということを課題とする。【解決手段】各スイッチ１０ａ〜１０ｄは、バックパネル２０に実装され、かかる各スイッチ１０ａ〜１０ｄは、バックパネル２０から実装位置ごとに異なるＵＮＩＴ−ＩＤを取得する。そして、各スイッチ１０ａ〜１０ｄは、実装位置表を用いて、取得したＵＮＩＴ−ＩＤから実装位置の番号を取得し、かかる実装位置の番号に「１」を加えた番号を自己のＳｗｉｔｃｈ−ＩＤとして設定する。【選択図】        図２
2006260075.tif 000002
【特許請求の範囲】
【請求項１】
基盤に実装された中継装置を特定するための識別情報を設定する識別情報設定装置であって、
前記基盤から前記中継装置の実装位置を示す実装位置情報を取得する情報取得手段と、
前記情報取得手段によって取得された前記実装位置情報を用いて前記識別情報を設定する識別情報設定手段と、
を備えたことを特徴とする識別情報設定装置。
【請求項２】
前記中継装置が前記情報取得手段と前記識別情報設定手段とを備え、
前記情報取得手段は、前記基盤から自己の実装位置情報を取得し、
前記識別情報設定手段は、前記実装位置情報を自己の識別情報として設定することを特徴とする請求項１に記載の識別情報設定装置。
【請求項３】
前記識別情報設定手段は、複数の中継装置それぞれの配列順が反映された識別情報を設定することを特徴とする請求項１または２に記載の識別情報設定装置。
【請求項４】
前記識別情報設定手段は、前記情報取得手段によって得られた前記実装位置情報の番号に整数１を加えた番号を識別情報として設定することを特徴とする請求項１または２に記載の識別情報設定装置。
【請求項５】
基盤に実装された中継装置を特定するための識別情報を設定する識別情報設定方法であって、
前記基盤から前記中継装置の実装位置を示す実装位置情報を取得する情報取得工程と、
前記情報取得工程によって取得された前記実装位置情報を用いて前記識別情報を設定する識別情報設定工程と、
を含んだことを特徴とする識別情報設定方法。
【発明の詳細な説明】
【技術分野】
【０００１】
この発明は、識別情報設定装置、識別情報設定方法および識別情報設定プログラムに関する。
【背景技術】
【０００２】
従来より、ファイバチャネル等のデータ転送方式を用いて、コンピュータ本体と記憶装置とを接続する技術が実施されている（例えば、特許文献１参照）。このようなデータ転送方式には、かかる記憶媒体が中継装置を介してどこに接続されているかを表すためのアドレスが用いられる。例えば、かかるアドレスは、中継装置であるファイバチャネルスイッチを特定する「Ｓｗｉｔｃｈ−ＩＤ」、ファイバチャネルスイッチとディスク装置を接続するポートを特定する「Ｓｗｉｔｃｈ−Ｐｏｒｔ−Ｎｏ．」およびポートに接続されたディスク装置内のディスクを特定する「ＡＬ＿ＰＡ」によって構成されている。このうち、「Ｓｗｉｔｃｈ−Ｐｏｒｔ−Ｎｏ．」と「ＡＬ＿ＰＡ」は規格で設定されるが、「Ｓｗｉｔｃｈ−ＩＤ」は手動で設定されている。
【０００３】
【特許文献１】特開２００１−１４２６１号公報
【発明の開示】
【発明が解決しようとする課題】
【０００４】
ところで、上記した従来の技術は、中継装置の識別情報（Ｓｗｉｔｃｈ−ＩＤ）を手動で一意となるように設定しなければならないので、同じＩＤを複数設定しないように管理しながら設定しなければならず、余分な時間や労力を費やされるという問題点がある。
【０００５】
そこで、この発明は、上述した従来技術の課題を解決するためになされたものであり、中継装置のＩＤを簡易に設定することが可能な識別情報設定装置、識別情報設定方法および識別情報設定プログラムを提供することを目的とする。
【課題を解決するための手段】
【０００６】
上述した課題を解決し、目的を達成するため、請求項１に係る発明は、基盤に実装された中継装置を特定するための識別情報を設定する識別情報設定装置であって、前記基盤から前記中継装置の実装位置を示す実装位置情報を取得する情報取得手段と、前記情報取得手段によって取得された前記実装位置情報を用いて前記識別情報を設定する識別情報設定手段と、を備えたことを特徴とする。
【０００７】
また、請求項２に係る発明は、上記の発明において、前記中継装置が前記情報取得手段と前記識別情報設定手段とを備え、前記情報取得手段は、前記基盤から自己の実装位置情報を取得し、前記識別情報設定手段は、前記実装位置情報を自己の識別情報として設定することを特徴とする。
【０００８】
また、請求項３に係る発明は、上記の発明において、前記識別情報設定手段は、複数の中継装置それぞれの配列順が反映された識別情報を設定することを特徴とする。
【０００９】
また、請求項４に係る発明は、上記の発明において、前記識別情報設定手段は、前記情報取得手段によって得られた前記実装位置情報の番号に整数１を加えた番号を識別情報として設定することを特徴とする。
【００１０】
また、請求項５に係る発明は、基盤に実装された中継装置を特定するための識別情報を設定する識別情報設定方法であって、前記基盤から前記中継装置の実装位置を示す実装位置情報を取得する情報取得工程と、前記情報取得工程によって取得された前記実装位置情報を用いて前記識別情報を設定する識別情報設定工程と、を含んだことを特徴とする。
【発明の効果】
【００１１】
請求項１または５の発明によれば、中継装置を実装する基盤から実装位置ごとに異なる位置情報を取得して、それを用いて設定するので、手動で一意な情報を設定する手間が省け、自動的に一意な識別情報を設定することが可能となる。
【００１２】
また、請求項２の発明によれば、中継装置が基盤から自己の位置情報を取得して、それを用いて自己の識別情報を設定するので、他に外部の装置（管理サーバ等）を必要とすることなく簡易に識別情報を設定することが可能となる。
【００１３】
また、請求項３の発明によれば、基盤に実装された複数の中継装置それぞれの配列順が反映された識別情報を設定するので、識別情報と中継装置の実装位置とが対応する結果、識別情報から基板上の中継装置の位置を容易に特定することが可能となる。
【００１４】
また、請求項４の発明によれば、基盤から取得した位置情報の番号に「１」を加えた番号を識別情報として設定するので、例えば、位置情報の番号に位置情報の番号に「０」があったとしても「０」を排除した識別情報を設定して、「０」を含まない識別情報の規格に対応することが可能となる。
【発明を実施するための最良の形態】
【００１５】
以下に添付図面を参照して、この発明に係る識別情報設定装置、識別情報設定方法および識別情報設定プログラムの実施例を詳細に説明する。なお、以下に説明する実施例では、中継装置としてのスイッチに本発明を組み込んだ場合の例を説明する。
【実施例１】
【００１６】
以下では、実施例１に係るスイッチの概要および特徴、スイッチの構成および処理の流れを順に説明し、最後に実施例１による効果を説明する。
【００１７】
［実施例１に係るスイッチの概要および特徴］
まず最初に、図１を用いて、実施例１に係るスイッチが適用されるＲＡＩＤ装置について説明した後に、図２を用いて、かかるスイッチの概要および特徴を説明する。図１は、ＲＡＩＤ装置の構成を示す構成図であり、図２は、実施例１に係るスイッチの概要および特徴を説明するための図である。
【００１８】
ＲＡＩＤ装置１００では、図１に示すように、実施例１に係るファイバチャネルスイッチ（スイッチ)１４０の他に、チャネルアダプタ１１０と、コントローラ１２０と、デバイスアダプタ１３０と、ディスク装置１５０とで構成される。
【００１９】
かかるＲＡＩＤ装置１００では、ファイバチャネル等のデータ転送方式を用いて、コンピュータ本体とディスク装置１５０とを接続することが一般的に行われている。このようなデータ転送方式には、かかるディスク装置１５０が中継装置であるファイバチャネルスイッチ１４０を介してどこに接続されているかを表すためのアドレスが用いられる。例えば、かかるアドレスは、ファイバチャネルスイッチ１４０を特定する「Ｓｗｉｔｃｈ−ＩＤ」、ファイバチャネルスイッチ１４０とディスク装置１５０を接続するポートを特定する「Ｓｗｉｔｃｈ−Ｐｏｒｔ−Ｎｏ．」およびポートに接続されたディスク装置１５０内のディスクを特定する「ＡＬ＿ＰＡ」によって構成されている。そこで、ファイバチャネルスイッチ１４０は、上記アドレスの番号とディスク装置１５０の位置とを対応させたアドレス表を備え、サーバからアクセス命令を受けると、かかるアドレス表を用いてディスク装置の１５０位置を特定して、アクセスする。
【００２０】
ところで、上記アドレス表に設定されるアドレスのうち、「Ｓｗｉｔｃｈ−Ｐｏｒｔ−Ｎｏ．」と「ＡＬ＿ＰＡ」は、規格で設定されるが、「Ｓｗｉｔｃｈ−ＩＤ」は、任意に設定されている。そこで本発明では、かかる「Ｓｗｉｔｃｈ−ＩＤ」を自動で設定することを主たる特徴としている。つまり、実施例１にかかるスイッチでは、バックパネル２０からスイッチ１０の実装位置を示すＵＮＩＴ−ＩＤを取得し、かかるＵＮＩＴ−ＩＤを用いてＳｗｉｔｃｈ−ＩＤを設定することを特徴とする。なお、ＵＮＩＴ−ＩＤは、特許請求の範囲に記載の「実装位置情報」に対応し、Ｓｗｉｔｃｈ−ＩＤは、特許請求の範囲に記載の「識別情報」に対応する。
【００２１】
この主たる特徴について簡単に説明する。図２に示すように、各スイッチ１０ａ〜１０ｄは、バックパネル２０に実装されるが、バックパネル２０は、実装位置ごとにそれぞれ異なる情報（ＵＮＩＴ−ＩＤ）を有している。そこで、実施例１に係る各スイッチ１０ａ〜１０ｄは、図４に示す実装位置テーブルを備えている。そして、バックパネル２０に実装されると、その実装位置のＵＮＩＴ−ＩＤ（実装位置ごとに異なるＵＮＩＴ−ＩＤ）をバックパネル２０から取得し、各スイッチ１０ａ〜１０ｄは、実装位置テーブルを用いて、取得したＵＮＩＴ−ＩＤから実装位置の番号を取得する。そして、各スイッチ１０ａ〜１０ｄは、かかる実装位置の番号に「１」を加えた番号を自己のＳｗｉｔｃｈ−ＩＤとして設定する。
【００２２】
例えば、スイッチ１０ａは、バックパネル２０の実装位置「０」に実装されると、バックパネル２０からＵＮＩＴ−ＩＤ「１１１」を取得する。そして、スイッチ１０ａは、実装位置テーブルを用いて、ＵＮＩＴ−ＩＤ「１１１」に対応する実装位置の番号「０」を取得し、かかる番号「０」に「１」を加えた番号「１」をＳｗｉｔｃｈ−ＩＤとして、自己のアドレス表に設定する。このように、実施例１では、スイッチ１０を実装するバックパネル２０から実装位置ごとに異なるＵＮＩＴ−ＩＤを取得して、そのＵＮＩＴ−ＩＤを用いて設定するので、手動で一意なＳｗｉｔｃｈ−ＩＤを設定する手間が省け、自動的に一意なＳｗｉｔｃｈ−ＩＤを設定することが可能となる。
【００２３】
［スイッチの構成］
次に、図３を用いて、実施例１に係るスイッチ１０の構成を説明する。図３は、スイッチ１０の構成を示すブロック図である。図３に示すように、スイッチ１０は、バスなどを介して、バックパネル２０、デバイスアダプタ３０およびディスク装置４０とそれぞれ接続される。
【００２４】
また、図３に示すように、スイッチ１０は、ＭＰＵ１１とＭＰＵスイッチ１２とで構成されている。このうち、ＭＰＵスイッチ１２は、通常のスイッチの機能を実現する処理部である。
【００２５】
一方、ＭＰＵ１１は、バックパネル制御ＩＦ１３と、デバイスアダプタ制御ＩＦ１４と、制御部１５と、記憶部１６とを備える。以下に、これらの各部の処理を説明する。なお、ＭＰＵ１１は、特許請求の範囲に記載の「識別情報設定手段」に対応する。
【００２６】
このうち、バックパネル制御ＩＦ１３は、バックパネル２０との間におけるデータ転送を制御する手段であり、具体的には、スイッチ１０とかかるスイッチ１０が実装されたバックパネル２０との間でＵＮＩＴ−ＩＤに関するデータの授受を制御する。また、デバイスアダプタ制御ＩＦ１４は、デバイスアダプタ３０との間でやり取りする各種情報に関する情報を制御する手段である。
【００２７】
記憶部１６は、制御部１５による各種処理に必要なデータおよびプログラムを格納する格納手段記憶手段であり、特に本発明に密接に関連するものとしては、実装位置テーブル１６ａとアドレス表１６ｂとを備えている。
【００２８】
このうち、実装位置テーブル１６ａは、図４に示すように、バックパネル２０上の実装位置と各実装位置が有するＵＮＩＴ−ＩＤとを対応付けて記憶する。また、アドレス表１６ｂは、アドレスの番号とディスク装置４０の位置とを対応付けて記憶する。
【００２９】
制御部１５は、各種の処理手順などを規定したプログラムおよび所要データを格納するための内部メモリを有し、これらによって種々の処理を実行する処理部であり、特に本発明に密接に関連するものとしては、ＵＮＩＴ−ＩＤ取得部１５ａと、Ｓｗｉｔｃｈ−ＩＤ決定部１５ｂと、Ｓｗｉｔｃｈ−ＩＤ設定部１５ｃとを備える。なお、ＵＮＩＴ−ＩＤ取得部１５ａは、特許請求の範囲に記載の「情報取得手段」に対応し、Ｓｗｉｔｃｈ−ＩＤ設定部１５ｃは、特許請求の範囲に記載の「識別情報設定手段」に対応する。
【００３０】
かかる制御部１５のなかで、ＵＮＩＴ−ＩＤ取得部１５ａは、バックパネル２０からＵＮＩＴ−ＩＤを取得する手段であり、具体的には、スイッチ１０がバックパネル２０に実装された際に、バックパネル２０からその実装位置が有しているＵＮＩＴ−ＩＤを取得する。図２に示すように、例えば、スイッチ１０ａがバックパネル２０の実装位置「０」に実装された場合は、ＵＮＩＴ−ＩＤ取得部１３ａは、実装位置「０」が有しているＵＮＩＴ−ＩＤ「１１１」を取得し、また、スイッチ１０ｂがバックパネル２０の実装位置「１」に実装された場合は、ＵＮＩＴ−ＩＤ取得部１５ａは、実装位置「１」が有しているＵＮＩＴ−ＩＤ「１１０」を取得する。
【００３１】
Ｓｗｉｔｃｈ−ＩＤ決定部１５ｂは、ＵＮＩＴ−ＩＤ取得部１５ａが取得したＵＮＩＴ−ＩＤを用いてＳｗｉｔｃｈ−ＩＤを決定する手段であり、具体的には、記憶部１６に記憶された実装位置テーブルを参照してＵＮＩＴ−ＩＤに対応する実装位置番号を読み出し、かかる実装位置番号に「１」を加えた番号をＳｗｉｔｃｈ−ＩＤとして決定する。図４に示すように、例えば、ＵＮＩＴ−ＩＤ取得部１５ａがＵＮＩＴ−ＩＤ「１１１」を取得した場合には、ＵＮＩＴ−ＩＤ「１１１」に対応する実装位置「０」を読み出し、実装位置「０」に「１」を加えた番号「１」をＳｗｉｔｃｈ−ＩＤとして決定する。
【００３２】
Ｓｗｉｔｃｈ−ＩＤ設定部１５ｃは、Ｓｗｉｔｃｈ−ＩＤ決定部１５ｂによって決定されたＳｗｉｔｃｈ−ＩＤをアドレス表１６ｂに設定する手段であり、具体的には、図２に示すように、スイッチ１０ａが備えるアドレス表のＤｏｍａｉｎの値であるＳｗｉｔｃｈ−ＩＤにＳｗｉｔｃｈ−ＩＤ決定部１５ｂによって決定されたＳｗｉｔｃｈ−ＩＤの番号を設定する。
【００３３】
［スイッチによる処理］
次に、図５を用いて、スイッチによる処理を説明する。図５は、識別情報設定処理の流れを示すフローチャートである。同図に示すように、スイッチ１０をバックパネル２０に実装すると（ステップＳ１０１肯定）、ＵＮＩＴ−ＩＤ取得部１５ａは、バックパネル２０からＵＮＩＴ−ＩＤを取得する（ステップＳ１０２）。
【００３４】
そして、Ｓｗｉｔｃｈ−ＩＤ決定部１５ｂは、取得したＵＮＩＴ−ＩＤに１を加えてＳｗｉｔｃｈ−ＩＤを決定し（ステップＳ１０３）、Ｓｗｉｔｃｈ−ＩＤ設定部１５ｃは、決定したＳｗｉｔｃｈ−ＩＤをアドレス表１６ｂに設定する（ステップＳ１０４）。
【００３５】
[実施例１の効果]
上述してきたように、実施例１によれば、スイッチ１０を実装するバックパネル２０から実装位置ごとに異なるＵＮＩＴ−ＩＤを取得して、それを用いてＳｗｉｔｃｈ−ＩＤを設定するので、手動で一意なＳｗｉｔｃｈ−ＩＤを設定する手間が省け、自動的に一意なＳｗｉｔｃｈ−ＩＤを設定することが可能である。
【００３６】
また、実施例１によれば、スイッチ１０がバックパネル２０から自己のＵＮＩＴ−ＩＤを取得して、それを用いて自己のＳｗｉｔｃｈ−ＩＤを設定するので、他に管理サーバ等の外部の装置を必要とすることなく簡易にＳｗｉｔｃｈ−ＩＤを設定することが可能である。
【００３７】
また、実施例１によれば、バックパネル２０に実装された複数のスイッチ１０それぞれの配列順が反映されたＳｗｉｔｃｈ−ＩＤを設定するので、Ｓｗｉｔｃｈ−ＩＤとスイッチ１０の位置が対応する結果、例えば、スイッチ１０内にエラーが発生した場合でも、Ｓｗｉｔｃｈ−ＩＤからエラーが発生したスイッチ１０の位置を容易に特定することが可能である。
【００３８】
また、実施例１によれば、バックパネル２０から取得したＵＮＩＴ−ＩＤの番号に「１」を加えた番号をＳｗｉｔｃｈ−ＩＤとして設定するので、例えば、ＵＮＩＴ−ＩＤの番号に「０」があったとしても、「０」を排除したＳｗｉｔｃｈ−ＩＤを設定して、「０」を含まないＳｗｉｔｃｈ−ＩＤの規格に対応することが可能である。
【実施例２】
【００３９】
さて、これまで本発明の実施例１について説明したが、本発明は上述した実施例１以外にも、種々の異なる形態にて実施されてよいものである。そこで、以下に示すように、（１）外部装置、（２）Ｓｗｉｔｃｈ−ＩＤ、（３）システム構成等、（４）プログラム、にそれぞれ区分けして異なる実施例を説明する。
【００４０】
（１）外部装置
例えば、実施例１では、スイッチ１０が自己のＵＮＩＴ−ＩＤを取得して、それを用いて自己のＳｗｉｔｃｈ−ＩＤを設定する場合を説明したが、本発明はこれに限定されるものではなく、図６に示すように、例えば、各スイッチ１０ａ〜１０ｂが取得したＵＮＩＴ−ＩＤを管理サーバ５０に送り、管理サーバ５０がかかるＵＮＩＴ−ＩＤを用いて一意なＳｗｉｔｃｈ−ＩＤとなるように各スイッチ１０ａ〜１０ｄに設定するようにしてもよい。
【００４１】
（２）Ｓｗｉｔｃｈ−ＩＤの番号
また、実施例１では、バックパネル２０に実装された複数のスイッチ１０それぞれの配列順に合わせてＳｗｉｔｃｈ−ＩＤを設定する場合を説明したが、本発明はこれに限定されるものではなく、例えば、スイッチ１０をバックパネル２０に実装した順番に合わせてＳｗｉｔｃｈ−ＩＤを設定するようにしてもよい。
【００４２】
また、本実施例では、ＵＮＩＴ−ＩＤの番号に「１」を加えた番号をＳｗｉｔｃｈ−ＩＤとして設定する場合を説明したが、本発明はこれに限定されるものではなく、例えば、ＵＮＩＴ−ＩＤの番号をＳｗｉｔｃｈ−ＩＤとして設定するようにしてもよい。また、ＵＮＩＴ−ＩＤの番号に「１」以外の数値を加えてＳｗｉｔｃｈ−ＩＤとして設定するようにしてもよい。
【００４３】
（３）システム構成等
また、図示したスイッチ等の各装置の各構成要素は機能概念的なものであり、必ずしも物理的に図示の如く構成されていることを要しない。すなわち、各装置の分散・統合の具体的形態は図示のものに限られず、例えば、図３に示すＳｗｉｔｃｈ−ＩＤ決定部１５ｂとＳｗｉｔｃｈ−ＩＤ設定部１５ｃを統合する等、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００４４】
また、実施例１において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００４５】
（４）プログラム
なお、本実施例で説明した識別情報設定方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００４６】
（付記１）基盤に実装された中継装置を特定するための識別情報を設定する識別情報設定装置であって、前記基盤から前記中継装置の実装位置を示す実装位置情報を取得する情報取得手段と、前記情報取得手段によって取得された前記実装位置情報を用いて前記識別情報を設定する識別情報設定手段と、を備えたことを特徴とする識別情報設定装置。
【００４７】
（付記２）前記中継装置が前記情報取得手段と前記識別情報設定手段とを備え、前記情報取得手段は、前記基盤から自己の実装位置情報を取得し、前記識別情報設定手段は、前記実装位置情報を自己の識別情報として設定することを特徴とする付記１に記載の識別情報設定装置。
【００４８】
（付記３）前記識別情報設定手段は、複数の中継装置それぞれの配列順が反映された識別情報を設定することを特徴とする付記１または２に記載の識別情報設定装置。
【００４９】
（付記４）前記識別情報設定手段は、前記情報取得手段によって得られた前記実装位置情報の番号に整数１を加えた番号を識別情報として設定することを特徴とする付記１または２に記載の識別情報設定装置。
【００５０】
（付記５）基盤に実装された中継装置を特定するための識別情報を設定する識別情報設定方法であって、前記基盤から前記中継装置の実装位置を示す実装位置情報を取得する情報取得工程と、前記情報取得工程によって取得された前記実装位置情報を用いて前記識別情報を設定する識別情報設定工程と、を含んだことを特徴とする識別情報設定方法。
【００５１】
（付記６）基盤に実装された中継装置を特定するための識別情報を設定する識別情報設定方法をコンピュータに実行させる識別情報設定プログラムであって、前記基盤から前記中継装置の実装位置を示す実装位置情報を取得する情報取得手順と、前記情報取得手順によって取得された前記実装位置情報を用いて前記識別情報を設定する識別情報設定手順と、をコンピュータに実行させることを特徴とする識別情報設定プログラム。
【産業上の利用可能性】
【００５２】
以上のように、本発明に係る識別情報設定装置、識別情報設定方法および識別情報設定プログラムは、基盤に実装された中継装置を特定するための識別情報を設定するのに有用であり、特に、自動的に一意な識別情報を設定するのに適する。
【図面の簡単な説明】
【００５３】
【図１】ＲＡＩＤ装置の構成を示す構成図である。
【図２】実施例１に係るスイッチの概要及び特徴を説明するための図である。
【図３】実施例１に係るスイッチの構成を示すブロック図である。
【図４】記憶部に記憶される実装位置テーブルを示す図である。
【図５】実施例１に係る識別情報設定処理の手順を示すフローチャートである。
【図６】実施例２に係るスイッチの概要及び特徴を説明するための図である。
【符号の説明】
【００５４】
１０  スイッチ
１１  ＭＰＵ
１２  ＭＰＵスイッチ
１３  バックパネル制御ＩＦ
１４  デバイスアダプタ制御ＩＦ
１５  制御部
１５ａ  ＵＮＩＴ−ＩＤ取得部
１５ｂ  Ｓｗｉｔｃｈ−ＩＤ決定部
１５ｃ  Ｓｗｉｔｃｈ−ＩＤ設定部
１６  記憶部
１６ａ  実装位置テーブル
１６ｂ  アドレス表
２０  バックパネル
３０  デバイスアダプタ
４０  ディスク装置
５０  管理サーバ
１００  ＯＲＣＡ
１１０  チャンネルアダプタ
１２０  コントローラ
１３０  デバイスアダプタ
１４０  ファイバチャネルスイッチ
１５０  ディスク装置
【図１】
2006260075.tif 000003
【図２】
2006260075.tif 000004
【図３】
2006260075.tif 000005
【図４】
2006260075.tif 000006
【図５】
2006260075.tif 000007
【図６】
2006260075.tif 000008